(57)【要約】【課題】ゴミ箱により好適な形態で複数の袋を設置する。【解決手段】ゴミ箱用の蓋（２）は、複数の投入口（２１）と、各投入口（２１）にそれぞれ対応付けて設けられた、投入口（２１）に投入された投入物の進行方向を所定範囲内に規制するガイド部（２２）と、投入物を収集するための袋（４）を、投入物の進行方向に対して開口する状態で、各投入口（２１）にそれぞれ対応付けて設置可能な袋設置部（２２ａ）と、を備える。【選択図】図３
2019001579.tif 000002
【特許請求の範囲】
【請求項１】
ゴミ箱用の蓋であって、
複数の投入口と、
各投入口にそれぞれ対応付けて設けられた、前記投入口に投入された投入物の進行方向を所定範囲内に規制するガイド部と、
前記投入物を収集するための袋を、前記投入物の進行方向に対して開口する状態で、各投入口にそれぞれ対応付けて設置可能な袋設置部と、を備えるゴミ箱用の蓋。
【請求項２】
前記袋設置部は、前記袋が少なくとも前記ガイド部の端部を覆う状態で前記袋を設置可能である請求項１に記載のゴミ箱用の蓋。
【請求項３】
前記袋設置部は、各ガイド部に設けられている請求項１又は２に記載のゴミ箱用の蓋。
【請求項４】
各ガイド部は、筒状の部材であるか、又は、前記投入口まわりの複数箇所に設けられた前記進行方向に沿って延びる部材である請求項１〜３のいずれか一項に記載のゴミ箱用の蓋。
【請求項５】
各ガイド部の端部は、対応する前記投入口に対して外方側を向く状態で延びており、
当該端部が前記袋設置部として機能する請求項４に記載のゴミ箱用の蓋。
【請求項６】
請求項５に記載のゴミ箱用の蓋と、
ゴミ箱本体と、を備え、
開口面積を拡縮可能に構成されている開口部を有する袋が、前記蓋における各ガイド部の端部にそれぞれ設置されているゴミ箱。
【請求項７】
開口部を挟んで上縁部における互いに対向する位置に設けられた、投入物を収集するための袋を係止させる一対の係止部を少なくとも一つ備え、且つ、少なくとも開孔状態で使用される小孔が少なくとも一つ設けられているゴミ箱本体を備えるゴミ箱。
【請求項８】
複数の投入口と、隣り合う前記投入口の間に仕切板を設置するための仕切板取付部と、を備えた蓋を備え、
前記仕切板取付部は、前記仕切板取付部に設置した前記仕切板の前記ゴミ箱本体側の端部が、前記一対の係止部に対応する位置に配置されるように構成されている請求項７に記載のゴミ箱。
【請求項９】
前記ゴミ箱本体の上縁部は、外方側に折り返された折り返し部から構成され、
前記一対の係止部は、前記折り返し部の端縁から延びる切欠き部として構成されている請求項７又は８に記載のゴミ箱。
【発明の詳細な説明】
【技術分野】
【０００１】
本発明は、ゴミ箱用の蓋、及び、ゴミ箱に関する。
【背景技術】
【０００２】
従来から、自動販売機の脇に設置される等のゴミ箱には、ゴミの分別のため、例えば缶を投入するための投入口とペットボトルを投入するための投入口等、複数の投入口が設けられている。しかし、複数の投入口が設けられていても、投入の際にゴミの入る方向が想定からずれて定められた方のゴミ袋に入らない場合があった。更に、ゴミ箱の内部にはゴミ袋が一つしか設置されてない場合もあり、この場合には、缶とペットボトルが結局は同じゴミ袋に収集されていた。そのため、ゴミ袋の内部で缶の投入口に対応する位置には缶が多くなり、ペットボトルの投入口に対応する位置にはペットボトルが多くなるといった限度で分別が行われるにとどまり、最終的には作業員により缶とペットボトルとの分別が行われていた。
【０００３】
これに対し、特開２００６−２９０５９８号公報（特許文献１）には、ゴミ箱本体の上縁部にゴミ袋を設置するための係止溝を設けて、係止溝を利用してゴミ箱本体に対して複数のゴミ袋を位置決めした状態で設置可能にしたものが記載されている。この特許文献１のゴミ箱によれば、各ゴミ袋に同一種類のゴミのみを投入するようにできて、ゴミの分別を容易に行うことができる。
【先行技術文献】
【特許文献】
【０００４】
【特許文献１】特開２００６−２９０５９８号公報
【発明の概要】
【発明が解決しようとする課題】
【０００５】
しかし、特許文献１のゴミ箱では、ゴミ袋に同一種類のゴミのみを確実に投入するためには、投入口を設けたゴミ箱の蓋部分にも内部に仕切板を設けるなど、何らかの細工が必要となるが、ゴミ箱の設置場所に応じたゴミ袋の位置決めの変更が難しく、ゴミ箱へのゴミ袋の設置に時間を要する場合があった。また、複数のゴミ袋をゴミ箱本体に設置するときに、袋どうしが干渉する等、円滑にゴミ袋を設置するためにはまだ改善の余地がある。
【０００６】
そこで、より好適な形態で複数のゴミ袋をより容易に設置可能なゴミ箱用の蓋、及び、ゴミ箱の実現が望まれる。
【課題を解決するための手段】
【０００７】
本発明に係るゴミ箱の蓋は、
複数の投入口と、
各投入口にそれぞれ対応付けて設けられた、前記投入口に投入された投入物の進行方向を所定範囲内に規制するガイド部と、
前記投入物を収集するための袋を、前記投入物の進行方向に対して開口する状態で、各投入口にそれぞれ対応付けて設置可能な袋設置部と、を備える。
【０００８】
この構成によれば、ゴミ箱の蓋に対して投入口ごとに袋を設置することができるため、ゴミ箱本体については既存のものをそのまま用いることができる。また、投入物の進行方向を所定範囲内に規制するガイド部を設け、その進行方向に対して開口する状態で袋を容易に設置できるので、ゴミ箱に仕切板を設けることなくゴミの分別を確度高く行うことができる。そして、投入口ごとに袋を設置することで、袋設置時の袋どうしの干渉を抑制でき、円滑にゴミ袋を設置することができる。
【０００９】
１つの態様として、前記袋設置部は、前記袋が少なくとも前記ガイド部の端部を覆う状態で前記袋を設置可能であると好適である。
【００１０】
この構成によれば、袋がガイド部の端部を覆うため、袋の外側にゴミが投入されることを効果的に抑制でき、ゴミの分別を確度高く行うことができる。
【００１１】
１つの態様として、前記袋設置部は、各ガイド部に設けられていると好適である。
【００１２】
この構成によれば、袋設置部をガイド部と別個に設けるのに比べ、構成を簡素なものとできる。
【００１３】
１つの態様として、各ガイド部は、筒状の部材であるか、又は、前記投入口まわりの複数箇所に設けられた前記進行方向に沿って延びる部材であると好適である。
【００１４】
この構成によれば、投入物の進行方向を所定範囲内に確度高く規制できる。
【００１５】
１つの態様として、各ガイド部の端部は、対応する前記投入口に対して外方側を向く状態で延びており、当該端部が前記袋設置部として機能すると好適である。
【００１６】
この構成によれば、ガイド部の端部を外方側に向かせるという簡易な構成でこの端部を袋設置部として機能させるから、構成を簡素なものとできる。
【００１７】
本発明に係るゴミ箱は、
上記のゴミ箱用の蓋と、
ゴミ箱本体と、を備え、
開口面積を拡縮可能に構成されている開口部を有する袋が、前記蓋における各ガイド部の端部にそれぞれ設置されている。
【００１８】
この構成によれば、拡縮自在な開口部を利用して、外方側を向くガイド部の端部に袋を設置させることで、ゴミの分別を好適に行うことのできるゴミ箱が実現できる。
【００１９】
本発明に係るゴミ箱は、
開口部を挟んで上縁部における互いに対向する位置に設けられた、投入物を収集するための袋を係止させる一対の係止部を少なくとも一つ備え、且つ、少なくとも開孔状態で使用される小孔が少なくとも一つ設けられているゴミ箱本体を備える。
【００２０】
ゴミ箱本体に複数の袋を設置する場合、１つ目の袋を設置した後に追加で袋を設置するときに、ゴミ箱本体内に空気の逃げ場がうまく確保できず、追加の袋を設置するに伴い設置済みの袋が空気圧で外れたり、ゴミ箱本体内で袋が拡がらなくなるおそれがある。これに対し、この構成によれば、少なくとも開孔状態で使用される小孔が設けられているため、複数の袋をゴミ箱本体に設置する場合であっても、小孔から内部の空気が外部に逃げることで袋どうしが干渉する等の諸問題を抑制でき、円滑にゴミ袋を設置することができる。
【００２１】
１つの態様として、複数の投入口と、隣り合う前記投入口の間に仕切板を設置するための仕切板取付部と、を備えた蓋を備え、前記仕切板取付部は、前記仕切板取付部に設置した前記仕切板の前記ゴミ箱本体側の端部が、前記一対の係止部に対応する位置に配置されるように構成されていると好適である。
【００２２】
この構成によれば、端部が係止部に対応する位置に配置される仕切板によって、ゴミ箱本体に設置された各袋と各投入口とが対になる状態でゴミ箱内の空間が分割されるから、ゴミの分別を確度高く行うことができるとともに、各袋の大きさに応じてゴミ箱内の空間を容易に分割できる。
【００２３】
１つの態様として、前記ゴミ箱本体の上縁部は、外方側に折り返された折り返し部から構成され、前記一対の係止部は、前記折り返し部の端縁から延びる切欠き部として構成されていると好適である。
【００２４】
この構成によれば、係止部としての切欠き部に袋を引掛けて袋を係止させるのみならず、折り返し部の端縁にも袋を引掛けることができるので、より強固に袋をゴミ箱本体に対して係止させることができる。
【図面の簡単な説明】
【００２５】
【図１】第１実施形態に係るゴミ箱の概要図
【図２】第１実施形態に係るゴミ箱の蓋に対する袋の設置状態を示す図
【図３】第１実施形態に係るゴミ箱の蓋に対する袋の設置状態を示す図
【図４】第１実施形態におけるガイド部の変形例を示す図
【図５】第２実施形態に係るゴミ箱の蓋における投入口まわりの構成を示す図
【図６】第３実施形態に係るゴミ箱の概要図
【図７】第３実施形態に係るゴミ箱に用いる袋の一例を示す図
【発明を実施するための形態】
【００２６】
〔第１の実施形態〕
本発明に係るゴミ箱の第１の実施形態について、図面を参照して説明する。本実施形態に係るゴミ箱１は、複数（本実施形態では２つ）の投入口２１，２１を備える蓋２とゴミ箱本体３とから構成され、各投入口２１，２１にそれぞれ決まった種類のゴミ（缶、瓶、ペットボトルなど）を投入させることで、ゴミの分別を図るゴミ箱である。そして、本実施形態に係るゴミ箱１は、簡易な構成でゴミの分別が行えるように、蓋２に特徴的な構成が備えられている。以下、蓋２の構成について説明する。
【００２７】
図１，２に示すように、蓋２は、各投入口２１，２１にそれぞれ対応付けて配置された、投入口２１，２１に投入された投入物の進行方向を所定範囲内に規制するガイド部２２を備えており、その端部２２ａは、投入物を収集するための袋４を、投入物の進行方向に対して開口する状態で、各投入口２１，２１にそれぞれ対応付けて設置可能な袋設置部として機能するようになっている。より詳しくは、本実施形態では、各ガイド部２２は筒状の部材であり、また、各ガイド部２２の端部２２ａは、対応する投入口２１に対して外方側を向く状態で延びており、これにより当該端部２２ａが袋設置部として機能するようになっている。
【００２８】
つまり、ガイド部２２により袋４を容易に設置することができるとともに、想定外の方向に投入物が進行することを防ぎ、袋設置部としての端部２２ａに設置した袋４に確度高く投入物を投入できるようになっている。また、各ガイド部２２が筒状であることにより、投入物の進行方向を所定範囲内に確度高く規制できる。そして、蓋２のみに改良を施すため、ゴミ箱本体３については既存のものをそのまま用いることができる。
【００２９】
また、ガイド部２２の端部２２ａを袋設置部として機能させることで袋設置部が各ガイド部２２，２２に設けられた状態となっており、且つ、袋４が少なくともガイド部２２の端部２２ａを覆う状態で袋４を設置可能となっている。これにより、構成を簡素なものとするとともに、袋４の外側に投入物が投入されることを抑制してある。
【００３０】
そして、本実施形態では、開口面積を拡縮可能に構成されている開口部４１を有する袋４を用いており、当該袋４が、蓋２における各ガイド部２２，２２の端部２２ａ，２２ａにそれぞれ設置されている。このような袋４を用いることにより、袋４のゴミ箱１への設置が極めて容易になる。開口部４１において、開口面積を拡縮可能な構成としては、図２，３に示すように、開口部４１の周縁にゴム等の伸縮可能な部材を用いて、周縁を伸び縮みさせることで開口部４１の開口面積を拡縮させる構成が挙げられる。なお、開口面積を拡縮可能な構成としてはこれに限定されず、紐を用いて開口面積を拡縮させる等種々の構成を用いることができる。
【００３１】
図２，３では、ガイド部２２が投入口２１からそのまま延びている構成を示したが、これに限らず、図４に示すように、ガイド部２２を投入口２１から離間させて設けた状態として投入物の進行方向を所定範囲内に規制するようにしてもよい。また、図示は省略するが、ガイド部２２は投入口２１まわりの複数箇所に設けられた進行方向に沿って延びる部材としてもよい。
【００３２】
〔第２の実施形態〕
本発明に係るゴミ箱の第２の実施形態について、図５を参照して説明する。本実施形態では、ゴミ箱の蓋の構成が第１の実施形態とは異なっている。以下、本実施形態に係る段ゴミ箱の蓋について、主に第１の実施形態との相違点について説明する。なお、特に明記しない点に関しては、第１の実施形態と同様であり、同一の符号を付して詳細な説明は省略する。
【００３３】
本実施形態では、ガイド部２２と袋設置部２３とを別個に設けている。この構成であれば、取っ手４２が開口部４１に付属して設けられているゴミ袋４を用い、取っ手４２を袋設置部２３に引掛けるという簡単な作業で蓋２に袋４を設置することができる。また、袋設置部２３は、ガイド部２２を挟んで対向位置に設けられているので、取っ手４２を袋設置部２３に設置することで、袋４が投入物の進行方向に対して開口する状態となる。また、筒状のガイド部２２の長さを、袋４が少なくともガイド部２２の端部２２ａを覆う状態となるようにしてあり、袋４の外側に投入物が投入されることを抑制してある。
【００３４】
〔第３の実施形態〕
本発明に係るゴミ箱の第３の実施形態について、図６，７を参照して説明する。本実施形態では、ゴミ箱本体３が、開口部３４を挟んで上縁部における互いに対向する位置に配置された、投入物を収集するための袋を係止させる一対の係止部３２を少なくとも一つ（本実施形態では３２Ａと３２Ｂの二つ）備え、且つ、少なくとも開孔状態で使用される小孔３３が少なくとも一つ設けられている。このゴミ箱本体３によれば、一対の係止部３２に袋４を引掛けながら、一対の係止部３２を起点として、ゴミ箱本体３における一対の係止部３２に対する一方側と他方側とにそれぞれ袋４を設置させることができる。そして、ゴミ箱本体３に複数の袋４を設置する場合、１つ目の袋４を設置した後に追加で袋４を設置するときに、ゴミ箱本体３内に空気の逃げ場がうまく確保できず、追加の袋４を設置するに伴い設置済みの袋４が空気圧で外れたり、ゴミ箱本体３内で袋が拡がらなくなるおそれがある。これに対し、本実施形態では、小孔３３がエア抜き用の孔として機能し、小孔３３から内部の空気が外部に逃げるため、複数の袋４をゴミ箱本体３に設置する場合であっても、袋どうしが干渉する等の諸問題を抑制でき、円滑にゴミ袋を設置することができる。
【００３５】
なお、小孔３３は、本実施形態では、対向する側面にそれぞれ２つずつ（計４つ）設けられており、常に開孔状態で用いられる。なお、小孔３３は、常に開孔することなく、開閉可能に構成されていたり、使用時に開孔状態に変形可能に構成されるなど、使用されるときに開孔するように構成されていればよい。
【００３６】
また、本実施形態では、一対の係止部３２が２つ設けられているため、分別する投入物の種類の割合に応じて、袋４の設置する位置を２つの係止部３２Ａ，３２Ｂの間で変更させるようにすることで、投入物の種類の割合に応じた大きさの袋４を設置することができる。例えば、分別される投入物が２種類であり、その割合がおよそ半々である場合には、係止部３２Ａを起点として同じ大きさの袋４を設置することで、双方の種類の割合に応じた大きさの袋４を適切な位置に設置させることができる。また、分別される投入物が２種類であり、一方の種類の割合が大きい場合、係止部３２Ｂを起点として一方に比べ他方の方が大きい２つの袋４を設置すれば、双方の種類の割合の差に応じた袋を適切な位置に設置させることができる。なお、本実施形態では一対の係止部３２が２つ設けられているが、３つ以上設けて、様々な配置に袋４を設置可能にしてもよい。また、一対の係止部３２が２つ以上設けられている場合、ゴミ箱本体３には３つ以上の袋４を取り付けるようにしてもよい。
【００３７】
本実施形態では、具体的には、ゴミ箱本体３の上縁部は、外方側に折り返された折り返し部３１から構成され、一対の係止部３２が、折り返し部３１の端縁から延びる切欠き部として構成されている。つまり、係止部３２としての切欠き部に袋を引掛けて袋を係止させるのみならず、折り返し部３１の端縁にも袋４を引掛けることができるので、より強固に袋４をゴミ箱本体３に対して係止させることができる。
【００３８】
また、本実施形態では、蓋２は、複数（本実施形態では２つ）の投入口２１，２１と、隣り合う投入口２１，２１の間に仕切板２５を設置するための仕切板取付部２４と、を備えている。そして、仕切板取付部２４は、仕切板取付部２４に設置した仕切板２５のゴミ箱本体３側の端部が、一対の係止部３２Ａに対応する位置に配置されるように構成されている。このように、仕切板２５の端部が係止部３２に対応する位置に配置されることによって、ゴミ箱本体３に設置された各袋４，４と各投入口２１，２１とが対になる状態でゴミ箱内の空間が分割されるから、ゴミの分別が円滑に行われる。なお、仕切板取付部２４を、一対の係止部３２と同じ数だけ設けるようにして、袋４を係止させる係止部３２に対応する仕切板取付部２４に仕切板２５を取り付けるようにしてもよい。また、投入口２１を３以上設ける場合には、仕切板２５も投入口２１と同じ数だけ取り付けられるようにしてもよい。
【００３９】
図７は、本実施形態にかかるゴミ箱１に用いる袋４の一例を示す。この袋４には、設置するゴミ箱本体３における係止部３２の位置に対応する割合の位置にミシン線４３が設けられており、ミシン線４３に沿って袋４を分断することで、ゴミ箱本体３の係止部３２の位置に応じた大きさの袋４を得ることができる。
【００４０】
〔その他の実施形態〕
最後に、本発明に係るゴミ箱用の蓋、及び、ゴミ箱のその他の実施形態について説明する。なお、以下のそれぞれの実施形態で開示される構成は、矛盾が生じない限り、他の実施形態で開示される構成と組み合わせて適用することも可能である。
【００４１】
（１）ゴミ箱用の蓋の実施形態は、第１〜第３の実施形態で示したものに限定されず、適宜変更可能である。例えば、投入口２１の数は２つに限られず、３つ以上であってもよい。また、第１及び第２の実施形態において、ガイド部２２の構成は、投入された投入物の進行方向を所定範囲内に規制するものであれば適宜変更可能であるし、袋設置部２３の構成も、投入物の進行方向に対して開口する状態で袋４を設置可能であれば適宜変更可能である。第３の実施形態においては、蓋２は、仕切板設置部２４や仕切板２５を用いなくてもよい。
【００４２】
（２）本発明において用いる袋の構成は、上記の実施形態で示したものに限定されない。例えば、第１の実施形態では、開口部４１の開口面積を拡縮可能に構成された袋４を示したが、これに限らず、紐を用いて直接くくり付けるなど、種々の構成を用いることができる。また、第３の実施形態ではミシン線４３が設けられた袋４を示したが、これに限らず、各別に袋４を準備するようにしてもよい。
【００４３】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４４】
本発明は、例えばゴミ箱用の蓋、及び、ゴミ箱に利用することができる。
【符号の説明】
【００４５】
１        ゴミ箱
２        蓋
２１      投入口
２２      ガイド部
２２ａ    端部（袋設置部）
２３      袋設置部
３        ゴミ箱本体
３１      折り返し部
３２      係止部
３３      小孔
３４      開口部
４        袋
４１      開口部
【図１】
2019001579.tif 000003
【図２】
2019001579.tif 000004
【図３】
2019001579.tif 000005
【図４】
2019001579.tif 000006
【図５】
2019001579.tif 000007
【図６】
2019001579.tif 000008
【図７】
2019001579.tif 000009